(57)【特許請求の範囲】
【請求項１】
内部を上下方向に適宜間隔毎に配設してなる複数枚の棚板によって複数の収納室に区画され且つ前端開口部に扉体を開閉自在に設けてなる収納箱であって、上記扉体は線条材を正面コ字状に屈曲することにより枠状に形成されてなり、この枠状扉体の上下水平フレーム部の自由端を収納箱本体の開口側端部に開閉自在に枢着し、更に、上記棚板の前端部に収納箱本体の幅方向に開口した係止凹部を設けて該係止凹部に上記枠状扉体の垂直フレーム部を側方から係脱可能に係止させるように構成していることを特徴とする収納箱。
【請求項２】
正面コ字状に屈曲形成してなる上記枠状扉体の上下水平フレーム部の長さを収納箱本体の横幅の１／２以下に形成し、この枠状扉体を収納箱本体の左右にそれぞれ開閉自在に配設して両開き扉を形成し、更に、収納箱に配設している各棚板の前端面に左右に一定間隔を存して水平方向に開口した係止凹部を設けてこれらの係止凹部に上記左右枠状扉体の垂直フレーム部をそれそれ側方から係脱可能に係止させるように構成していることを特徴とする請求項１に記載の収納箱。
【請求項３】
上記棚板の前端面に上記枠状扉体の垂直フレーム部を受け入れる前方に向かって開口した挿入口が形成されてあり、この挿入口に連通させて上記係止凹部を該挿入口に対して直角方向に設けていることを特徴とする請求項１又は請求項２に記載の収納箱。
【請求項４】
上記棚板の前端面に左右両端部が外側方に向かって凸状に湾曲してなる係止金具を取付け、上記凸状部の後方部に上記水平方向に開口した係止凹部を形成していることを特徴とする請求項１又は請求項２に記載の収納箱。
【発明の詳細な説明】
【０００１】
【発明の属する技術分野】
本発明は、外部から衝撃が加えられたり或いは傾倒状態となった場合にあっても、収納室の開口部の閉扉状態を確実に保持しうる扉構造を備えた収納箱、特に、棚板上に薬品収納瓶等を載置して携行するのに適した収納箱に関する。
【０００２】
【従来の技術】
従来からこの種の収納箱において、収納箱の収納室を開閉自在に閉止する扉構造としては、収納室の開口部の大きさと同一大きさ又は該開口部を二分割した大きさを有する正面矩形状の扉体を収納箱本体の開口側端部に開閉自在に枢着してなる構造が汎用されている。
【０００３】
そして、上記収納箱本体の前端開口縁における上下中央部に前面に向かって開口した係止凹部を一体に設けるとともに、上記扉体の後面における上下部に上記収納箱本体に一体に設けた上記係止凹部に嵌入、係止可能な係止部材を突設し、上記扉体の係止部材を上記収納箱本体の係止凹部に前方から嵌入、係止させ、上記扉体が上記収納箱本体の開口部を閉止した状態を保持できるように構成されている。
【０００４】
しかしながら、上記収納箱の扉構造では、携行時において収納箱が前後方向に揺動させた場合、或いは、載置状態において、地震の発生により収納箱が前後方向に揺動し、上記収納箱本体の係止凹部と上記扉体の係止部材との係止部分に該係止凹部と係止部材とが離間する方向に力が加わった場合には簡単にその係止状態が解除されて扉体が開き収納室の前端開口部が開放状態となって収納室に収納した収納物が外部に飛び出してしまうといった問題があった。そして、万一上記収納室に収納した収納物が化学薬品であるには外に飛び出した衝撃によって化学薬品の収納瓶が破損し、収納瓶内に収納した化学薬品同士が化学反応を起こして火災の原因になるといった恐れもあった。
【０００５】
【発明が解決しようとする課題】
本発明は、地震や携行の際の揺動や振動或いは携行中に傾倒状態となった場合にあっても確実に収納室の開口部の閉扉状態を保持しておくことができる扉体を有する収納箱を提供する。
【０００６】
【課題を解決するための手段】
請求項１に記載の収納箱は、内部を上下方向に適宜間隔毎に配設してなる複数枚の棚板によって複数の収納室に区画され且つ前端開口部に扉体を開閉自在に設けてなる収納箱であって、上記扉体は線条材を正面コ字状に屈曲することにより枠状に形成されてなり、この枠状扉体の上下水平フレーム部の自由端を収納箱本体の開口側端部に開閉自在に枢着し、更に、上記棚板の前端部に収納箱本体の幅方向に開口した係止凹部を設けて該係止凹部に上記枠状扉体の垂直フレーム部を側方から係脱可能に係止させるように構成していることを特徴とする。
【０００７】
請求項２に記載の収納箱は、請求項１に記載の収納箱において、正面コ字状に屈曲形成してなる上記枠状扉体の上下水平フレーム部の長さを収納箱本体の横幅の１／２以下に形成し、この枠状扉体を収納箱本体の左右にそれぞれ開閉自在に配設して両開き扉を形成し、更に、収納箱に配設している各棚板の前端面に左右に一定間隔を存して水平方向に開口した係止凹部を設けてこれらの係止凹部に上記左右枠状扉体の垂直フレーム部をそれそれ側方から係脱可能に係止させるように構成していることを特徴とする。
【０００８】
請求項３に記載の収納箱は、請求項１又は請求項２に記載の収納箱において、上記棚板の前端面に上記枠状扉体の垂直フレーム部を受け入れる前方に向かって開口した挿入口が形成されてあり、この挿入口に連通させて上記係止凹部を該挿入口に対して直角方向に設けていることを特徴とする。
【０００９】
請求項４に記載の収納箱は、請求項１又は請求項２に記載の収納箱において、上記棚板の前端面に左右両端部が外側方に向かって凸状に湾曲してなる係止金具を取付け、上記凸状部の後方部に上記水平方向に開口した係止凹部を形成していることを特徴とする。
【００１０】
【作用】
本発明の収納箱の収納室に収納物を収納するには、先ず、収納箱の前端開口部の側端部に開閉自在に枢着した扉体の垂直フレーム部と上記収納箱の棚板の前端部に設けた係止凹部との係止を上記扉体の垂直フレーム部を上下水平フレーム部の長さ方向に弓形状に湾曲、変位させることによって解除して、上記扉体を上記収納室の前端開口部の側方に回動、変位させて上記収納箱の収納室の前端開口部を開放する。
【００１１】
そして、上記開放状態の上記収納室の前端開口部から収納室内の各棚板上に収納物を載置した後、扉体を閉止方向に回動させるとともに、再び、扉体の垂直フレーム部を弓形状に湾曲、変位させて棚板の前端部に設けている側方に向かって開口した係止凹部に対向させ、この状態にして垂直フレーム部の湾曲を解いて弾性復元力により垂直フレームを係止凹部に係止させる。この閉扉状態にすると、扉体を開放させようとしても、垂直フレーム部が弓形状に湾曲しない限り、係止凹部に係止された状態が保持され、扉体が不測に開放する恐れはない。
【００１２】
【発明の実施の形態】
本発明の収納箱の一例を図面を参照しつつ説明する。本発明の収納箱１は、図１に示したように、内部を上下方向に適宜間隔毎に配設してなる複数枚の棚板11d 、11d ・・・によって収納室11c 、11c ・・・に区画され且つ前端開口部に左右扉体12、12を両開き状に開閉自在に設けてなる収納箱１であって、上記左右扉体12、12は金属線材よりなる線条材を正面コ字状に屈曲することにより枠状に形成されてなり、この枠状扉体12における垂直フレーム部12a の上下端に屈曲、形成してなる上下水平フレーム部12b 、12b の自由端部を収納箱本体11の開口側端部に開閉自在に枢着し、更に、上記各棚板11d 、11d ・・・の前端面に収納箱本体11の幅方向に開口した係止凹部11g 、11g ・・・を設けて該係止凹部11g 、11g ・・・に上記枠状扉体12、12の垂直フレーム部12a 、12a ・・・を側方から係脱可能に係止させるように構成してなる。
【００１３】
上記収納箱本体11は、正面縦長長方形状の背面板11a とこの背面板11a の外周縁から前方に向かって延設された前後方向に一定幅を有する周面板11b とからなり、上記背面板11a の内面と上記周面板11b の内面とによって前方に向かって全面的に開放した収納空間Ｃが形成されており、該収納空間Ｃは上下方向に適宜間隔毎に配設された複数枚の棚板11d によって上下方向に複数分割されている。なお、上記周面板11b の外側上面には上記収納箱11を携行する際に把持される側面下向きコ字状の把手部13が一体に設けられている。
【００１４】
上記棚板11d は、その左右方向の幅が上記収納箱本体11の収納空間Ｃの幅に等しく形成されているとともに、その前後方向の幅は上記収納箱本体11の収納空間Ｃの前後幅に等しく形成されている一方、上記棚板11d の前端縁には上方に向かって飛出防止壁11e が僅かに突設されており、該飛出防止壁11e によって上記収納室11c 内に収納した収納物Ａの前側下端縁部が受止されて、収納物Ａが不用意に収納室11c 外に飛び出すのを防止している。
【００１５】
上記扉体12は屈曲に対する弾性復元力と可撓性を有する金属線材を正面コ字状に屈曲させることによって形成されており、詳しくは、上記収納箱本体11の収納空間Ｃの前端開口部の高さよりも若干短い長さを有する垂直フレーム部12a とこの垂直フレーム部12a の上下端から水平方向に屈曲、形成されてなる上下水平フレーム部12b 、12b とからなり、この扉体12を収納箱本体11の開口部の左右に夫々配して、これらの扉体12、12の上下水平フレーム部12b 、12b の自由端部を夫々上下方向に直角に屈曲してなる屈曲部12c 、12c を上記収納箱本体11の収納空間Ｃの前端開口部における上下左右端部の中心孔に回動自在に枢着させることにより、これらの左右扉体12、12によって上記収納室11c の前端開口部を開閉する両開き扉が形成されている。
【００１６】
更に、上記上下水平フレーム部12b 、12b の長さを、上記収納箱本体11の横幅の１／２以下、即ち、扉体12の横幅が収納箱本体11の１／２以下となるように形成して、これらの左右扉体12、12を閉止した際に、対向する垂直フレーム部12a 、12a 間に指先が挿入可能な間隔Ｂを設けている。
【００１７】
一方、上記各棚板11d 、11d ・・・の前端面には左右扉体12、12の垂直フレーム部12a 、12a に対向させて前方に向かって開口した平面半円形状の挿入口11f 、11f が形成されており、更に、これらの挿入口11f 、11f の開口端内周面において、左側の扉体12に対向する左側挿入口11f には左側方に向かって開口した平面半円形状の係止凹部11g が凹設されているとともに、右側の扉体12に対向する右側挿入口11f には、右側方に向かって開口した平面半円形状の係止凹部11g が凹設されている。そして、これらの左右係止凹部11g 、11g に左右扉体12、12の垂直フレーム部12a 、12a の対応部分を係止させるように構成している（図２参照）。
【００１８】
次に、上記収納箱11の使用要領を説明する。先ず、図１に示したように、上記収納箱１の一対の扉体12、12を側方に向かって回動させて、上記収納室11c の前端開口部を開放状態とする。
【００１９】
しかる後、図３に示したように、上記収納箱１の収納室11c 内に、例えば、血液等が入った試験管を縦横に配設してなる試験管立てＡを収納した後、上記側方に回動させた上記一対の扉体12、12を中央側に向かって回動させるとともに、上記扉体12、12の垂直フレーム部12a 、12a を把持して全長に亘って側方に向かって弓形状に撓ませて、上記棚板11d 、11d ・・・の挿入口11f 、11f ・・・内に上記扉体12、12の垂直フレーム部12a 、12a を挿入する。そして、上記垂直フレーム部12a の側方への押力を解き、垂直フレーム部12a の弾性復元力によって元の直条状に復元させることにより、該垂直フレーム部12a 、12a を対応する上記収納箱本体11の棚板11d 、11d ・・・の係止凹部11g 、11g ・・・に側方から係止させて、上記一対の扉体12、12を上記収納室11c の前端開口部に固定し、一対の扉体12、12によって該収納室11c を閉扉状態に保持する。
【００２０】
上記扉体12、12の垂直フレーム部12a 、12a を上記収納箱本体11の棚板11d 、11d ・・・の係止凹部11g 、11g ・・・に係止させた状態では、上記扉体12、12の垂直フレーム部12a 、12a の前面は上記係止凹部11g 、11g ・・・の前端面に当接、受止された状態となっているので、上記収納箱１が前方に傾倒した状態となった場合にあっても、上記上記扉体12、12の垂直フレーム部12a 、12a と上記収納箱本体11の棚板11d 、11d ・・・の係止凹部11g 、11g ・・・との係止状態が不用意に解除されることはなく、上記収納箱１がいかなる状態となった場合にあっても上記扉体12、12は上記収納室11c の前面開口部を閉扉した状態に確実に保持する。
【００２１】
従って、上記一対の扉体12、12によって上記収納室11c の前端開口部を閉扉した状態では、上記収納室11c 内に収納した収納物Ａは、収納箱１が前方に傾倒して収納室11c の前端開口部側に滑動した場合にあってもその前面を上記扉体12、12の垂直フレーム部12a 、12a によって受止され、上記収納室11c 外に飛び出したりすることはない。なお、上記収納室11c の前端開口部における上記扉体12の垂直フレーム部12a による左右方向の分割幅は、上記収納室11c に収納する収納物Ａの左右方向の幅よりも狭くなるように調整されている。
【００２２】
更に、上記一対の扉体12、12によって上記収納室11c の前端開口部を閉扉した状態にあっても、上記の如く、一対の扉体12、12は正面コ字状の金属線材から形成されているので、上記収納室11c 内は密封状態となることはなく、例えば、上記収納室11c 内に化学薬品を収納しており、化学薬品が不用意に揮発した場合にあっても揮発した化学薬品が収納室11c 内にこもるといった不測の事態は生じない。
【００２３】
しかも、図３に示したように、上記扉体12、12は正面コ字状に屈曲形成されて、上記扉体12、12の水平フレーム部12b 、12b ・・・は上記収納空間Ｃの前端開口部の上下内面に沿った状態に配設されているとともに、上記水平フレーム部12b 、12b ・・・の自由端部を上下方向に屈曲形成してなる屈曲部12c 、12c ・・・を収納空間Ｃの前端開口部の上下両側端における中心孔に回動自在に枢着してなるので、上記収納室11c の左右端部には、上記扉体12、12を上記収納室11c の前端開口部に配設するための部材は配設されておらず、上記収納室11c は全面的に開放された状態となっており、上記収納室11c の左右方向の全幅を利用して収納物Ａを収納することができる。
【００２４】
次に、上記の如くして上記収納箱１の収納室11c 内に収納した収納物Ａを取り出すには、先ず、上記扉体12、12の垂直フレーム部12a 、12a 間に形成された隙間Ｂに指先を挿入し、上記扉体12の垂直フレーム部12a を把持して中央側から側方に向かって押圧することによって全長に亘って外側方に弓形状に湾曲させて、上記扉体12の垂直フレーム部12a と上記棚板12d 、12d ・・・の係止凹部11g 、11g ・・・との係止状態を解除する。そして、上記扉体12の垂直フレーム部12a と上記棚板12d 、12d ・・・の係止凹部11g 、11g ・・・との係止状態を解除したまま、上記扉体12、12を側方に向かって回動させて上記収納室11c の前端開口部を開放し（図１参照）、上記収納室11c から上記収納物Ａを取り出す。
【００２５】
又、上記扉体12、12の垂直フレーム部12a 、12a 間には指先が挿入可能な隙間Ｂが形成されていることから、一方の扉体12を開放状態とする場合に、他方の扉体12の垂直フレーム部12a が邪魔となるといったことはなく、扉体12の開放作業を円滑且つ確実に行うことができる。
【００２６】
更に、上記棚板11d 、11d ・・・の夫々の前端面には平面半円形状の挿入口11f 、11f ・・・が形成されていることから、上記挿入口11f 、11f に下方から上方に向かって指先を挿入して上記収納物Ａの前端下面を上方に押し上げてやるとともに、収納物Ａを指先で前方に誘導してやることによって、上記収納物Ａを上記棚板11d 、11d ・・・の前端面に突設した飛出防止壁11e を乗り越えさせて円滑且つ確実に収納室11c 内から取り出すことができる。
【００２７】
上記したように、上記収納室11c の前端開口部は全面的に開放されており、収納室11c の左右方向の幅に等しい幅を有する収納物Ａを収納室11c に収納している場合には、上記の如く挿入口11、11f ・・・を利用することによって、収納物Ａを収納室11c 内から円滑且つ確実に取り出すことができる。
【００２８】
上記では収納箱１として比較的コンパクトな携行可能な大きさの収納箱１を説明したが、図４に示したように、左右方向にやや広幅な大きさの収納箱１であってもよく、このように左右方向にやや広幅な大きさの収納箱１である場合には、上記正面コ字状の扉体12、12の水平フレーム部12b 、12b の対向部間を連結する連結フレーム部12d 、12d を一体に設けておくことが好ましい。上記収納室11c の前端開口部における上記扉体12の垂直フレーム部12a 及び連結フレーム部12d による左右方向の分割幅は、上記収納室11c の収納物Ａの左右方向の幅よりも狭くなるように調節されている。
【００２９】
更に、図１に示した実施例では、上記棚板11d 、11d ・・・の前端面に平面半円形状の挿入口11f 、11f ・・・を形成し、該挿入口11f の開口端内周面に半円形状の係止凹部11g を形成した場合を説明したが、図４に示したように、一本の棒材の左右端部を後方に向かって屈曲させるとともに、その屈曲部を側方に向かって凸円弧状に突出させて係止部材14を形成し、この係止部材14の後方に向けて屈曲、形成した左右端部を上記棚板11d 、11d ・・・の前端面の中央部に固定し、上記係止部材14の凸円弧状部14a 、14a の後面と上記棚板11d の前端面とによって係止凹部11g 、11g ・・・を形成してもよい。なお、図１に示した実施例と同様の構成については同様の符号を付してその説明を省略した。
【００３０】
又、上記では収納箱１の収納室11c の前端開口部を一対の扉体12、12によって開閉していたものを説明したが、図５に示したように、一つの扉体12によって開閉したものであってもよい。
【００３１】
即ち、上記扉体12の左右方向の幅を上記収納箱本体11の左右方向の幅よりもやや短く、詳述すれば、上記扉体12の上下水平フレーム部12b 、12b の長さを上記収納箱本体11の左右方向の幅よりもやや短く形成し、該扉体12で上記収納室11c の前端開口部を閉扉状態とした際に、垂直フレーム部12a とこの垂直フレーム部12a に対向する収納室11c の前端開口部の側端面との間に指先を挿入可能な隙間Ｂを形成しているとともに、上記扉体12の水平上下フレーム部12b 、12b の対向部同士を連結する連結フレーム部12d 、12d ・・・を一本若しくは複数本を所定間隔毎に一体に設けておいてもよい。又、上記収納室11c の前端開口部における上記扉体12の垂直フレーム部12a 及び連結フレーム部12d による左右方向の分割幅は、上記収納室11c に収納した収納物Ａの左右方向の幅よりも狭くなるように調整されている。なお、図１に示した実施例と同様の構成については同様の符号を付してその説明を省略した。
【００３２】
【発明の効果】
本発明の収納箱は、内部を上下方向に適宜間隔毎に配設してなる複数枚の棚板によって複数の収納室に区画され且つ前端開口部に扉体を開閉自在に設けてなる収納箱であって、上記扉体は線条材を正面コ字状に屈曲することにより枠状に形成されてなり、この枠状扉体の上下水平フレーム部の自由端を収納箱本体の開口側端部に開閉自在に枢着し、更に、上記棚板の前端部に収納箱の幅方向に開口した係止凹部を設けて該係止凹部に上記枠状扉体の垂直フレーム部を側方から係脱可能に係止させるように構成していることを特徴とするので、上記扉体の垂直フレーム部はその前面を上記係止凹部によって受止されており、地震や携行の際の揺動や振動或いは携行中に上記収納室の前端開口部が下向きとなる傾倒状態となった場合にあっても、上記扉体は上記収納室の開口部の閉扉状態を確実に保持するので不用意に上記収納室の前端開口部が開放状態となって収納室内の収納物が外部に飛び出したりするといったことはない。
【００３３】
請求項２に記載の収納箱のように、正面コ字状に屈曲形成してなる上記枠状扉体の上下水平フレーム部の長さを収納箱本体の横幅の１／２以下に形成し、この枠状扉体を収納箱本体の左右にそれぞれ開閉自在に配設して両開き扉を形成し、更に、収納箱に配設している各棚板の前端面に左右に一定間隔を存して水平方向に開口した係止凹部を設けてこれらの係止凹部に上記左右枠状扉体の垂直フレーム部をそれそれ側方から係脱可能に係止させるように構成している場合には、上記扉体の垂直フレーム部を把持し、垂直フレーム部を側方に押圧して弓形状に湾曲させて上記係止凹部に対向させた後、上記垂直フレーム部の側方への押圧力を解除することによって上記扉体の垂直フレーム部を上記係止凹部に側方から係止させるといった簡単な操作で、上記扉体を上記収納室の前端開口部に上記収納室を閉止した状態で固定することができる。
【００３４】
逆に、上記収納室の前端開口部を開放する場合には、上記扉体の垂直フレーム部を把持して上記扉体の垂直フレーム部を側方に押圧することによって弓形状に湾曲、変位させて、上記扉体の垂直フレーム部と上記収納箱本体の上記係止凹部との係止状態を解除することによって容易に上記収納室の前端開口部を開放状態とすることができる。
【００３５】
請求項３に記載の収納箱のように、上記棚板の前端面に上記枠状扉体の垂直フレーム部を受け入れる前方に向かって開口した挿入口が形成されてあり、この挿入口に連通させて上記係止凹部を該挿入口に対して直角方向に設けていることを特徴とする場合には、上記挿入口に下方から上方に向かって指を挿入して上記収納室内に収納している収納物の前端下面を押し上げて前方に変位させることによって簡単且つ確実に収納物を収納室から取り出すことができる。
【００３６】
請求項４に記載の収納箱のように、上記棚板の前端面に左右両端部が外側方に向かって凸状に湾曲してなる係止金具を取付け、上記凸状部の後方部に上記水平方向に開口した係止凹部を形成している場合には、棚板の前端縁部を加工することなく、棚板の前端面に係止金具を取付けるといった簡単な構成によって上記優れた効果を同様に奏することができる。
【図面の簡単な説明】
【図１】本発明の収納棚を示した斜視図、
【図２】係止凹部を示した平面拡大図、
【図３】本発明の収納棚の収納室に収納物を収納した状態を示した斜視図、
【図４】本発明の他の収納棚を示した斜視図。
【図５】本発明の他の収納棚を示した斜視図。
【符号の説明】
１  収納箱
11  収納箱本体
11c 収納室
11d 棚板
11f 挿入口
11g 係止凹部
12  扉体
12a 垂直フレーム部
12b 水平フレーム部
Ａ  収納物
Ｂ  隙間
Ｃ  収納空間
【図１】
0004057713.tif 000002
【図２】
0004057713.tif 000003
【図３】
0004057713.tif 000004
【図４】
0004057713.tif 000005
【図５】
0004057713.tif 000006